(57)【要約】【課題】ラティスの四隅部における枠部材と格子部材との結合強度を向上させたコーナーブロックを提供することを目的とする。また、主として樹脂材からなるコーナーブロックを構築することにより、廃棄処理の際、分別の手間がかからないようにしたラティスを提供することを目的とする。【解決手段】支柱４１の左右両面における下部位からウイング４２、４２が左右下方へ開き、かつ、前記ウイング４２、４２の挟む内角Ｑが略９０度であって、前記支柱４１と前記ウイング４２、４２とで構成される断面形状がＹ字状に形成されるよう構成する。【選択図】      図５
0003111931.tif 000002
【実用新案登録請求の範囲】
【請求項１】
支柱４１の左右両面における下部位からウイング４２、４２が左右下方へ開き、
かつ、前記ウイング４２、４２の挟む内角Ｑが略９０度であって、
前記支柱４１と前記ウイング４２、４２とで構成される断面形状がＹ字状に形成されることを特徴とするコーナーブロック。
【請求項２】
前記支柱４１の上端部において傘状体４７を設けることを特徴とする請求項１記載のコーナーブロック。
【考案の詳細な説明】
【技術分野】
【０００１】
この考案は、主としてラティスの四隅部を形成するために使用するコーナーブロックに関する。詳しくは、ラティスの四隅部において枠部材同士を結合するためのコーナーブロックの形状を工夫してラティスに剛性を持たせるとともに、ラティスを廃棄処理する際に材質毎の分別を容易にするコーナーブロックに関する。
【背景技術】
【０００２】
ラティスの材質は、従来から樹脂製あるいは木製が主流であり、これらラティスの四隅部の結合方法を図１３に示す。ラティスが一種類の材質ではなく、複数の材質例えばビス、ボルト、コーナーブロック等を金属製とし、枠部材および格子部材が樹脂あるいは木製の場合が多い。枠部材の材質が樹脂の場合を図１３（ａ）、（ｂ）に示す。隅部において、枠部材２の切り口２８、２８を対向させて、この部位にＬ字状のコーナーブロック４を跨設する。そして、枠部材２の外から矢印の方向へステップル８あるいはビス９をねじ込むことによって、ラティスの隅部が結合される。この場合、ラティスを廃棄処理する際に、金属製のステップルあるいはビス、樹脂製の枠部材あるいは格子部材を材質毎に分別する必要があり手間がかかる。
【０００３】
また、図１３（ｃ）、（ｄ）は、枠部材が木製の場合を示す。枠部材が樹脂製の場合と同様、枠部材２の外から対向する枠部材２にステップル８をねじ込むことによって、ラティスの隅部が結合される。このような木製品の場合は、腐れ易く、かつ、枠部材を結合するステップルの結合強度が弱く、ついには全体が崩れる。また、金属のステップルは錆びて外れ易く、ステップルは錆びると外観上見栄えが悪い。
【０００４】
このようなラティスの四隅部において、枠部材が接合される部分は、歪等によって隙間が生じ易く、露出した隅部は外観上見栄えが悪い。また、ラティスを持ち運ぶ際に隅部をぶつけ易く、破壊の原因となる。
【０００５】
その他、ラティスの四隅部をコーナーブロック等の固定具を介して固定する際、枠部材と固定具は、枠部材の外側からステップル、ビス、釘等を用いて結合されるため、ビスの頭が露出し外観上見栄えが悪い。また、枠部材と格子部材との結合部位に隙間が生じ易く、露出した隅部は外観上見栄えが悪い。
【考案の開示】
【考案が解決しようとする課題】
【０００６】
以上、従来のラティス用のコーナーブロックには、まとめると種々の問題点がある。
【０００７】
即ち、従来のラティス用コーナーブロックの問題点の第一は、金属製が主流であり、錆び易く見栄えが悪くなる。
【０００８】
また、従来のラティスは、複数の材質、例えばステップルあるいはボルト、コーナーブロック等を金属製とし、格子部材を樹脂あるいは木製とする場合が多い。これらを廃棄処理する際、金属、樹脂、木とに分別する必要があり手間がかる。また、ボルト、コーナーブロック等が金属なので、ラティスが重くなり、ホームセンター等で購入して持ち帰る際に不便であり、また、家で組み立てる時に扱い難い。
【０００９】
そして、枠部材とコーナーブロックとは、枠部材の外側からステップル、ビス、釘等を用いて結合されるため、ビスの頭が露出し外観上見栄えが悪い。また、枠部材と格子部材との結合部位に隙間が生じ易く、露出した隅部は外観上見栄えが悪い。
【００１０】
そこで、本考案は、このような従来の持つ問題点を解決するためになされたもので、ラティスの四隅部における枠部材の結合強度を向上させ、かつ、外観上見栄えの良いコーナーブロックを提供することを目的とする。
【００１１】
さらに、本考案は、主として樹脂材からなるコーナーブロックを構築することにより、廃棄処理の際、分別の手間がかからないようにしたコーナーブロックを提供することを目的としている。
【課題を解決するための手段】
【００１２】
前記目的を達成するために、請求項１の考案は、支柱４１の左右両面における下部位からウイング４２、４２が左右下方へ開き、かつ、前記ウイング４２、４２の挟む内角Ｑが略９０度であって、前記支柱４１と前記ウイング４２、４２とで構成される断面形状がＹ字状に形成されることを特徴とする。
【００１３】
また、請求項２の考案は、請求項１の考案の前記特徴に加えて、前記支柱４１の上端部において傘状体４７を設けることを特徴とすることを特徴とする。
【考案の効果】
【００１４】
ラティスの四隅部における枠部材の結合強度を向上させ、かつ、外観上見栄えの良いコーナーブロックを提供することができる。また、主として樹脂材からなるコーナーブロックを構築することにより、廃棄処理の際、分別の手間がかからない等の効果を奏するものである。
【考案を実施するための最良の形態】
【００１５】
本考案の実施の形態を、添付図面に例示した本考案の実施例に基づいて以下に具体的に説明する。
【実施例１】
【００１６】
先ず、本考案の実施例１について、図１〜図６を参照しながら説明する。図１は、ラティスの正面図を示す。図２は、コーナーブロックを介して枠部材と格子部材とが結合された状態の拡大図を示し。図２（ａ）は同上、隅部の結合状態を示す平面図、図２（ｂ）はその断面図である。図３は、コーナーブロックを介して枠部材と格子部材とが結合された状態を示し、図３（ａ）は同上、隅部の結合状態を示す平面図、図３（ｂ）はその断面図である。図４は、枠部材を示し、図４（ａ）は枠部材の断面図、図４（ｂ）は枠部材を斜め４５度に切断した切り口を示す斜視図である。図５は、同上、隅部を結合するために使用するコーナーブロックを示し、図５（ａ）は斜視図、図５（ｂ）はコーナーブロックを介して枠部材を結合する方法を示す組立図である。図６は、同上、隅部を結合するために使用するボタンを示す。
【００１７】
本考案のコーナーブロックの使途は、全体が正方形あるいは長方形を含む直角四辺形のもので、四隅が略直角を有する構造体を対象とする。図１のラティスに示すように、このラティスは複数の格子部材３がＸ字状に交差して垂直壁を形成し、この周囲は枠部材２、２、２、２によって直角四辺形に組み上げられ、そして、これらの枠部材２は、ラティス１の外周四辺を形成する。そして、ラティスの四隅では、コーナーブロック４を介して、両側から枠部材２と２が結合されることによって全体が直角四辺形のラティス１が形成される。
【００１８】
ラティス１は、四辺の枠部材２、２、２、２の中に、細長い格子部材３をＸ字状に交差して掛け渡すことによって構成される。図３（ｂ）の断面図に示すように、格子部材３は、樹脂成形品で、空洞にして軽量化されたものである。一方、強度を補強するため、空洞の中を長手方向に細いリブ３４が貫通している。
【００１９】
次に、ラティスの四隅において、コーナーブロック４を介して枠部材２が結合される状態について、図２、４を参照して説明する。枠部材２は、樹脂成形品で、この断面を図４（ａ）、四隅の切り口を図４（ｂ）に示すように、空洞にして軽量化され、一方、枠部材の強度を補強するため、空洞の中を長手方向にリブが貫通している。枠部材２の周殻は、左右の側壁２１、上方の天井壁２２、下方における左右の底壁２３、２３、内壁２５、２５から構成され、そして、中壁２４が内壁２５、２５の天井を形成する。そして、これ等の周殻を支持するように枠部材２の空洞の中でリブ２６が交叉し、また、長手方向に貫通する。左右の内壁２５、２５には、それぞれ、突起２７、２７を長手方向に直線状に備える。そして、図４（ｂ）に示す切り口２８の先端部の傾斜角度Ｐは略４５度である。傾斜角度Ｐが略４５度に切断された枠部材２を、図２（ａ）に示すように、切り口２８、２８を左右から突合せることにより、枠部材２の四隅が形成される。この枠部材２、２の切り口２８、２８の間にはコーナーブロック４の支柱４１が挟着されるとともに、ウイング４２を貫通してボタン５、５を枠部材２に圧入することよって双方の枠部材２、２とコーナーブロック４が結合される。コーナーブロック４の斜視状態を図５（ａ）に示すように、真ん中の支柱４１の左右両面における下部位からウイング４２、４２が左右下方へ開き、この両ウイング４２、４２の挟む内角Ｑは略９０度である。支柱４１の上方端部は、両側に係止部４３を備え、この外周は傘状体４７を示す。また、支柱４１の前後に側キャップ４６、４６を備え、これらがウイング４２、４２を挟むように位置する。これ等側キャップ４６、４６の下方端部は係止部４４が形成され、この内角Ｒは略９０度に開く。この係止部４４は側キャップ４６、４６の下方端部に位置する。ここで、コーナーブロックの材質は、例えば、耐候性を有するＡＡＳ樹脂（アクリロニトル・アクリル・スチレン）の他、ＡＢＳ（アクリロニトル・ブタジエン・スチレン）、ＡＥＳ（アクリロニトル・エチレンプロピレンゴム・スチレン）、ＰＶＣ（ポリ塩化ビニル）、ＰＡ（ポリアミド）、ＰＢＴ（ポリブチレンテレフタレート）、ＰＣ（ポリカーボネート）、ＰＯＭ（ポリオキシメチレン）、ＰＳ（ポリスチレン）、ＰＥ（ポリエチレン）、ＰＰ（ポリプロピレン）等の樹脂を使用することでも問題ない。以下の実施例についても同様である。
【００２０】
ここで、枠部材２とコーナーブロック４との結合について説明する。図２（ａ）に示すように、枠部材２の切り口２８、２８が、双方から対向してその間にコーナーブロック４の支柱４１が狭着される。また、図５（ｂ）の組立図に示すように、枠部材２の切り口２８を覆うように、ウイング４２を中壁２４に沿って枠部材２の内溝２０２、２０２の間に挿入し、次いで、ボタン５を中壁２４に圧入する。
【００２１】
ここで、ボタン５の詳細を図６に示すように、ボタン座５１にボタン支柱５２が直立し、この先端はボタン爪５３が形成される。ボタン爪５３は、図６（ｂ）、（ｃ）に示すように、ボタン支柱５２の部分から先端にかけて三分割され、全体が先細りに尖る。そして、ボタン爪５３の根元部には、係止部５４が出っ張る。
【００２２】
枠部材と格子部材の材質は、耐候性を有するＡＡＳ樹脂（アクリロニトル・アクリル・スチレン）の他、ＡＢＳ（アクリロニトル・ブタジエン・スチレン）、ＡＥＳ（アクリロニトル・エチレンプロピレンゴム・スチレン）、ＰＶＣ（ポリ塩化ビニル）、ＰＡ（ポリアミド）、ＰＢＴ（ポリブチレンテレフタレート）、ＰＣ（ポリカーボネート）、ＰＯＭ（ポリオキシメチレン）、ＰＳ（ポリスチレン）、ＰＥ（ポリエチレン）、ＰＰ（ポリプロピレン）等の樹脂を使用することでも問題ない。以下の実施例についても同様である。
【００２３】
以上のように構成され、次に作用について説明する。
【００２４】
ラティスを図１に示すように、複数の格子部材３がＸ字状に交差して重なるように掛け渡される。この状態に加えて、四辺を構成する枠部材２、２、２、２が格子部材３の先端部に嵌合され、直角四辺形のラティスが形成される。ラティス１の四隅では、図２（ａ）に示すように、枠部材２の鋭部２０１の傾斜角度Ｐが略４５度なので、切り口２８、２８が相対向しながらこの間にコーナーブロック４を挟んで、隅が略直角に形成される。この時、コーナーブロック４の支柱４１の両面は枠部材２の切り口２８、２８と対面し、これ等の切り口の先端部である鋭部２０１、２０１が、係止部４３、４３の内側へ楔状に食い込む。また、係止部４３、４３の外方からは傘状体４７によって、切り口２８、２８の合わせ目が覆われる。そして、枠部材２の切り口２８、２８が対向した箇所に、コーナーブロック４の支柱４１が狭着されるので、コーナーブロック４の下方で、内角Ｑが略９０度に開いたウイング４２、４２の外面が枠部材２の中壁２４に密着する。ここで、図２（ｂ）に示すように、ウイング４２を内溝２０２、２０２の間に嵌合することで、枠部材２同士の捩れ、曲がりが少なくなり、さらにウイング４２を枠部材２の中壁２４に固着することにより、枠部材２同士の結合がより強固になる。ここで、ウイング４２と中壁２４とは、コーナーブロック４の係止穴４５を貫通して中壁２４にボタン５を圧入することで結合される。ボタン爪５３は、図６（ｂ）、（ｃ）に示すように、ボタン支柱５２の部分から先端にかけて三分割され、全体として、先細りに尖る。そして、ボタン爪５３の根元部は、係止部５４として出っ張っている。このため、ボタン５が、コーナーブロック４の係止穴４５を貫通して、枠部材２の中壁２４の穴に一旦圧入されると、係止部５４が外に開いているので中壁２４に備える穴からボタン５が抜けることがない。更に、コーナーブロック４の下方では、係止部４４の内角Ｒが略９０度に開き、この係止部４４の外面が、枠部材２の底壁２３の面に密着してコーナーブロック４と枠部材２とが結合される。以上のようして、枠部材２の中壁２４、２４とコーナーブロック４のウイング４２、４２とが両側からボタン５、５によって結合されるので、ラティス１の四隅を直角に、しかも堅固に形成される。そして、ラティスに剛性をもたせることができる。
【００２５】
ボタン支柱５２の部分から先端にかけてボタン爪５３が三分割され、全体として、先細りに尖るボタン５について説明したが、これには他の態様がある。これについては、実施例２で説明する。
【００２６】
本実施例では、コーナーブロック４に備える係止部４３の外周部を形成する傘状体４７が、枠部材２、２の対向面である切り口２８、２８の割れ目を覆い隠すことができるので見栄えがよい。また、隅部に外方から衝撃が加わっても、傘状体４７が四隅部の枠部材２、２の突合せ面を保護する機能がある。差更に、側キャップ４６、４６が枠部材２、２の突合せ面を覆い隠すので見栄えがよい。即ち、傘状体４７、側キャップ４６とも美観と衝撃等の外力からラティスの四隅部を保護する機能を有するものである。
【実施例２】
【００２７】
本実施例の実施例１との主たる相違点は、コーナーブロックを枠部材に結合するために使用するボタンの機能が異なるところにある。
【００２８】
本実施例について、図７を参照しながら説明する。図７は、隅部が結合された状態を示す。この実施例でも実施例１と同様のコーナーブロックを使用する。ウイング４２と枠部材２の中壁２４、２４の面が左右で対面する。ここでボタン５のボタン爪は、ストレートに伸び、四つ爪である。この四つ爪がウイング４２に備える係止穴４５を貫通し、更に枠部材２の中壁２４に備える穴に圧入される。そして、四つ爪の内周から別の軸が貫通して四つ爪の先端を拡開するので枠部材の中壁２４とコーナーブロック４とが堅固に結合される。このようにして、ラティス１の四隅では、枠部材２の切り口２８、２８が相対向し、この間にコーナーブロック４を挟着され、隅が直角に形成される。ここで、係止部４４、４４の内角Ｒは、略９０度に開く。
【実施例３】
【００２９】
本実施例の実施例１との主たる相違点は、コーナーブロックを枠部材に結合するためにボタンを使用しないところにある。
【００３０】
本実施例について、図８を参照しながら説明する。図８は、隅部が結合された状態を示す。この実施例でも実施例１と同様のコーナーブロックを使用する。コーナーブロック４のウイング４２の先端部に近い箇所に突起４８を備える。ウイング４２と枠部材２の中壁２４の面が密着し、突起４８が中壁２４に備える穴に係合してコーナーブロック４と枠部材２とが結合される。このようにして、ラティス１の四隅では、枠部材２の切り口２８、２８が相対向し、この間のコーナーブロック４を挟んで隅部が直角に結合される。ここで、突起４８は鉤状の爪を有するので、ウイング４２が枠部材２から抜けるのを防止することができる。ここで、係止部４４、４４の内角Ｒは、略９０度に開く。
【実施例４】
【００３１】
本実施例の実施例１との主たる相違点は、コーナーブロックを枠部材に結合するためにボタンの代わりにビス９を使用するところにある。
【００３２】
本実施例について、図９を参照しながら説明する。図９は、隅部が結合された状態を示す。この実施例でも実施例１と同様のコーナーブロックを使用する。コーナーブロック４のウイング４２の先端部に近い箇所に係止穴４５を備える。ウイング４２と枠部材２の中壁２４の面が対面し、ビス９をウイング４２に備える係止穴４５を貫通し、更に枠部材２の中壁２４に備える穴にねじ込む。この場合、中壁２４の厚くして螺子代を確保する必要がある。このようにして、ラティス１の四隅では、枠部材２の切り口２８、２８が相対向し、この間にコーナーブロック４が挟着され、隅が直角に形成される。ここで、係止部４４、４４の内角Ｒは、略９０度に開く。
【実施例５】
【００３３】
本実施例の実施例１との主たる相違点は、コーナーブロックを枠部材に結合するためにボタンの代わりに接着剤を使用するところにある。
【００３４】
本実施例について、図１０を参照しながら説明する。図１０は、隅部が結合された状態を示す。この実施例でも実施例１と同様のコーナーブロックを使用する。ただし、コーナーブロック４のウイング４２の先端部に近い箇所に係止穴４５を設けない。ウイング４２と枠部材２の中壁２４の面が対面し、この面に接着剤１０を塗布する。このようにして、ラティス１の四隅では、枠部材２の切り口２８、２８が相対向し、この間にコーナーブロック４が挟着され、隅が直角に結合される。この場合、コーナーブロックと枠部材との結合のため接着剤を使用するので、枠部材およびコーナーブロックに穿孔する必要がない。ここで、係止部４４、４４の内角Ｒは、略９０度に開く。
【実施例６】
【００３５】
本実施例の実施例１との主たる相違点は、コーナーブロックに傘状体と側キャップを備えないところにある。
【００３６】
先ず、本実施例について、図１１、１２  を参照しながら説明する。図１１は、コーナーブロックの形状を示し、図１１（ａ）は側面図、図１１（ｂ）は正面図である。図１２は、同上、枠部材がコーナーブロックと結合される状態を示す。図示のように、コーナーブロック４は、支柱４１の左右両面における下部位からウイング４２、４２が左右下方へ開く形状であり、基本的には実施例１と同じである。ウイング４２、４２が挟む内角Ｑも略９０度であり、ウイング４２の先端部に近い箇所に係止穴４５を備えるところも実施例１と同じである。ただし、支柱４１の先端部には、傘状体を備えないし、また、支柱４１の側面部には、側キャップを備えないところが実施例１のコーナーブロックと異なる。
【００３７】
以上のように構成され、次に作用について説明する。
【００３８】
ウイング４２と枠部材２の中壁２４の面が対面し、図１２に示すように、ボタン５をウイング４２に備える係止穴４５を貫通させ、更に枠部材２の中壁２４に備える穴に圧入する。実施例１と同様に、枠部材２の切り口２８が左右から支柱４１のウイング４２に対面し、他方の切り口２８は矢印のように下方へ移動して支柱４１のウイング４２に対面する。ここで、切り口２８の先端部の傾斜角度Ｐは略４５度である。このような形状により、ラティス１の四隅では、コーナーブロック４を介して枠部材２、２の切り口２８、２８が相対向し、コーナーブロック４を挟んで隅が直角に形成される。
【００３９】
前述したように、ボタン５がウイング４２に備える係止穴４５を貫通し、更に枠部材２の中壁２４に備える穴に圧入されるので、枠部材２とコーナーブロック４とが堅固に結合される。そのため、枠部材２とコーナーブロック４との結合力は実施例１と同様である。しかしながら、本実施例のコーナーブロックには、支柱４１の先端部に傘状体を備えないし、また、支柱４１の側部には、側キャップを備えない。そのため、傘状体が無いのでラティスの四隅部で枠部材２の鋭部２０１、２０１が外方に露出して覆い隠すことができず、外観上見栄えが悪いし、また、ラティスの隅部を保護する機能に欠ける。また、側キャップがないので、枠部材２の鋭部２０１、２０１を覆い隠すことができず見栄えが悪い。
【００４０】
以上の実施例では、ラティスの四隅部において枠部材とコーナーブロックとを結合するためにボタン、ビスあるいは接着剤を使用したが、ウイング４２の幅寸法Ｌ（図５に示す）と内溝２０２、２０２間の溝幅寸法Ｍ（図４に示す）をシマリ嵌め可能に樹脂成形することにより、ボタン、ビスあるいは接着剤等を使用しないようにすることもできる。
【産業上の利用可能性】
【００４１】
なお、本考案のコーナーブロックの使途は、全体が正方形あるいは長方形を含む直角四辺形のもので、四隅が略直角を有する構造体を対象とする。例えば、屋外の庭や壁面等において、エクステリアフェンス、バルコニーパネル、ゲート、パーテーション、ルーバに使用したり、花卉類や観葉植物等を植栽した植木鉢、プランター等への用途がある。また、屋内でパーテーションに用い、あるいは、日用品や装飾品を掛けるためのインテリアパネルに用いることでも勿論よい。また、枠部材の中の格子は、代表的なラティスのように複数の格子がＸ字あるいは直角に交差したり、ルーバのように複数の格子が平行に掛け渡されるものを対象とする。
【図面の簡単な説明】
【００４２】
【図１】本考案の実施例１におけるラティスの正面図を示す。
【図２】同上、コーナーブロックを介して枠部材と格子部材とが結合された状態の拡大図を示す。
【図３】同上、コーナーブロックを介して枠部材と格子部材とが結合された状態を示す。
【図４】同上、枠部材の断面および切り口示す。
【図５】同上、コーナーブロックを示す。
【図６】同上、隅部を結合するために使用するボタンを示す。
【図７】本考案の実施例２において、ラティスの隅部が結合された状態を示す。
【図８】本考案の実施例３において、ラティスの隅部が結合された状態を示す。
【図９】本考案の実施例４において、ラティスの隅部が結合された状態を示す。
【図１０】本考案の実施例５において、ラティスの隅部が結合された状態を示す。
【図１１】本考案の実施例６におけるコーナーブロックを示す。
【図１２】同上、枠部材が結合される状態を示す。
【図１３】従来のラティスにおける、隅部が結合される各種態様を示す。
【符号の説明】
【００４３】
１  ラティス
２  枠部材
２１  側壁
２２  天井壁
２３  底壁  
２４  中壁
２５  内壁
２６  リブ
２７  突起
２８  切り口
２０１  鋭部
２０２  内溝
３  格子部材
３１  側壁
３２  天井壁
３３  底壁
３４  リブ
３５  スリット
４  コーナーブロック
４１  支柱
４２  ウイング
４３  係止部
４４  係止部
４５  係止穴
４６  側キャップ
４７  傘状体
４８  突起
５  ボタン
５１  ボタン座
５２  ボタン支柱
５３  ボタン爪
５４  係止部
８  ステップル
９  ビス
１０  接着剤
【図１】
0003111931.tif 000003
【図２】
0003111931.tif 000004
【図３】
0003111931.tif 000005
【図４】
0003111931.tif 000006
【図５】
0003111931.tif 000007
【図６】
0003111931.tif 000008
【図７】
0003111931.tif 000009
【図８】
0003111931.tif 000010
【図９】
0003111931.tif 000011
【図１０】
0003111931.tif 000012
【図１１】
0003111931.tif 000013
【図１２】
0003111931.tif 000014
【図１３】
0003111931.tif 000015